(57)【要約】【課題】建設機械において、燃料ホースを用いた燃料供給作業を安全且つ簡単に行えるようにする。【解決手段】油圧ショベル１に、エンジンと、エンジンで消費する燃料を貯える燃料タンク１１と、燃料タンク１１に燃料を送り込む燃料ポンプ１４と、エンジン、燃料タンク１１及び燃料ポンプ１４を収容する機械室８を有する上部旋回体４と、機械室８を覆う開閉式の開閉カバー１０とを設ける。開閉カバー１０を略鉛直な回動軸１０ａを中心に平面視で機械室８の外側へ開くように構成し、燃料ポンプ１４に接続された燃料ホース１６を収容する燃料ホース収容部１７を開閉カバー１０の内面に設ける。【選択図】図１
2018193827.tif 000002
【特許請求の範囲】
【請求項１】
エンジンと、
上記エンジンで消費する燃料を貯える燃料タンクと、
上記燃料タンクに燃料を送り込む燃料ポンプと、
上記エンジン、上記燃料タンク及び上記燃料ポンプを収容する機械室を有する建設機械本体と、
上記機械室を覆う開閉式の開閉カバーとを備えた建設機械において、
上記開閉カバーは、略鉛直な回動軸を中心に平面視で上記機械室の外側へ開くように構成され、
上記燃料ポンプに接続された燃料ホースを収容する燃料ホース収容部が上記開閉カバーの内面に設けられている
ことを特徴とする建設機械。
【請求項２】
請求項１に記載の建設機械において、
上記燃料ポンプは、上記機械室の底部に設けられ、
上記燃料ホース収容部は、上記開閉カバーの内面下側に設けられている
ことを特徴とする建設機械。
【請求項３】
請求項１又は２に記載の建設機械において、
上記開閉カバーの内面には、上記燃料ホースの先端を収容する先端収容部が設けられ、
上記先端収容部には、内部に溜まった燃料を排出可能な排出部が設けられている
ことを特徴とする建設機械。
【請求項４】
請求項１から３のいずれか１つに記載の建設機械において、
上記建設機械本体は、運転室を備え、旋回ベアリングによって旋回可能に支持され、
上記機械室は、上記運転室の側方に設けられ、
上記燃料ポンプは、上記機械室の底部に設けられ、
上記開閉カバーは、上記機械室の側面に設けられている
ことを特徴とする建設機械。
【請求項５】
請求項１から４のいずれか１つに記載の建設機械において、
油圧ショベルであり、
上記燃料ポンプは、上記燃料タンク、作動油タンク及びコントロールバルブに囲まれた上記機械室の底部に設けられている
ことを特徴とする建設機械。
【発明の詳細な説明】
【技術分野】
【０００１】
本発明は、燃料タンクに燃料を送り込む燃料ポンプを有する建設機械に関し、特に燃料ポンプの燃料ホース収容構造に関する。
【背景技術】
【０００２】
従来より、例えば欧州のように、作業現場でドラム缶から建設機械の燃料タンクに燃料を供給できるように、建設機械本体に燃料タンクを備えたものが知られている。
【０００３】
例えば特許文献１の建設機械は、油圧ポンプを駆動するためのエンジンを搭載した自走可能な車体と、この車体に設けられ、油圧ポンプに供給するための作動油を貯える作動油タンクと、この作動油タンクと隣接して車体に設けられエンジンに供給するための燃料を貯える燃料タンクと、作動油タンク及び燃料タンクの近傍に設けられ補給用の燃料が貯えられている容器から燃料タンクに燃料を注入する燃料ポンプと、基端側が燃料ポンプの吸込口に接続して設けられ先端側が吸込口となって容器内の燃料を燃料ポンプに向けて吸込む長尺な吸込ホースと、作動油タンク及び燃料タンクの上側を開閉可能に覆って設けられたタンクカバーとで構成されている。
【先行技術文献】
【特許文献】
【０００４】
【特許文献１】特開２０１３−７９５４７号公報
【発明の概要】
【発明が解決しようとする課題】
【０００５】
しかしながら、特許文献１のような建設機械では、吸込口収容ケースが内面に設けられたタンクカバーが下方の水平な回動支持部材を中心に回動される。このため、吸込口周辺から燃料が漏れると、タンクカバーを伝って機械室内部に流れ込んでしまうという問題がある。
【０００６】
また、燃料ホースの固定スペースの確保が困難であるため、燃料ホースが比較的高い位置に設けられている。このため、油圧ショベルのクローラ等とドラム缶との間で乗り降りしての燃料補給作業となり面倒である。
【０００７】
本発明は、かかる点に鑑みてなされたものであり、その目的とするところは、燃料ホースを用いた燃料供給作業を安全且つ簡単に行えるようにすることにある。
【課題を解決するための手段】
【０００８】
上記の目的を達成するために、この発明では、略鉛直な軸を中心に外方へ開くカバーの内面に燃料ホース収容部を設けた。
【０００９】
具体的には、第１の発明では、
エンジンと、
上記エンジンで消費する燃料を貯える燃料タンクと、
上記燃料タンクに燃料を送り込む燃料ポンプと、
上記エンジン、上記燃料タンク及び上記燃料ポンプを収容する機械室を有する建設機械本体と、
上記機械室を覆う開閉式の開閉カバーとを備えた建設機械において、
上記開閉カバーは、略鉛直な回動軸を中心に平面視で上記機械室の外側へ開くように構成され、
上記燃料ポンプに接続された燃料ホースを収容する燃料ホース収容部が上記開閉カバーの内面に設けられている。
【００１０】
上記の構成によると、燃料ホース収容部が、略鉛直な回動軸を中心に機械室の外側へ開く開閉カバーの裏面に設けられているので、開閉カバーを開いたときに、地面等に立ったまま燃料ホースを取り出し、その先端を地面等にあるドラム缶等に差して燃料補給作業をすることができる。また、仮に燃料ホースの先端から燃料がこぼれたとしても、機械室の外側で燃料ホースの脱着を行えるので、機械室内が汚れない。なお「略鉛直な回動軸」とは、完全に鉛直な回動軸でなくてもよく、多少傾いた回動軸でもよいことを意味する。
【００１１】
第２の発明では、第１の発明において、
上記燃料ポンプは、上記機械室の底部に設けられ、
上記燃料ホース収容部は、上記開閉カバーの内面下側に設けられている。
【００１２】
上記の構成によると、開閉カバーの内面下側に燃料ホース収容部が設けられているので、燃料ホースを高く持ち上げて脱着作業をする必要がなく、作業が容易で、燃料がこぼれにくい。
【００１３】
第３の発明では、第１又は第２の発明において、
上記開閉カバーの内面には、上記燃料ホースの先端を収容する先端収容部が設けられ、
上記先端収容部には、内部に溜まった燃料を排出可能な排出部が設けられている。
【００１４】
上記の構成によると、燃料ホースの先端の出し入れがしやすく、先端から燃料がこぼれても機械室内を汚さない。また、先端収容部に燃料が溜まっても、地面等を汚さずに排出することができる。
【００１５】
第４の発明では、第１から第３のいずれか１つの発明において、
上記建設機械本体は、運転室を備え、旋回ベアリングによって旋回可能に支持され、
上記機械室は、上記運転室の側方に設けられ、
上記燃料ポンプは、上記機械室の底部に設けられ、
上記開閉カバーは、上記機械室の側面に設けられている。
【００１６】
上記の構成によると、地面に立ったまま、適度な高さで開いた開閉カバー内面に設けた燃料ホース収容部から燃料ホースを取り出して燃料補給作業を容易に行うことができる。
【００１７】
第５の発明では、第１から第４のいずれか１つの発明において、
油圧ショベルであり、
上記燃料ポンプは、上記燃料タンク、作動油タンク及びコントロールバルブに囲まれた上記機械室の底部に設けられている。
【００１８】
上記の構成によると、狭いスペースを利用して、燃料ポンプと燃料ホース収容部とを設けることができる。
【発明の効果】
【００１９】
以上説明したように、本発明によれば、平面視で機械室の外側へ略鉛直な回動軸を中心に開くように開閉カバーを設け、この開閉カバーの内面に、燃料ポンプに接続された燃料ホースを収容する燃料ホース収容部を設けたので、燃料ホースを用いた燃料供給作業を安全且つ簡単に行うことができる。
【図面の簡単な説明】
【００２０】
【図１】開いた状態の開閉カバー及びその周辺を拡大して示す側面図である。
【図２】本発明の実施形態に係る油圧ショベルを示す側面図である。
【図３】開いた状態の開閉カバー及びその周辺を拡大して示す平面図である。
【図４】図１のIV部拡大側面図である。
【発明を実施するための形態】
【００２１】
以下、本発明の実施形態を図面に基づいて説明する。
【００２２】
図２は本発明の実施形態の建設機械としての油圧ショベル１を示し、この油圧ショベル１は、例えば、走行可能なクローラ等を有する下部走行体２と、旋回ベアリング３と、この旋回ベアリング３を介して旋回可能に支持される建設機械本体としての上部旋回体４とを備えている。
【００２３】
上部旋回体４は、旋回ベアリング３が設けられる旋回フレーム５と、運転室６と、旋回フレーム５の前側のブームフット（図示せず）に揺動可能に支持されるアタッチメント７とを備えている。そして、運転室６側方、つまりアタッチメント７の右側に、機械室８が設けられ、その後方にカウンターウェイト９が設けられている。すなわち、機械室８は、上部旋回体４の右側のカウンターウェイト９の前側の比較的狭い領域に設けられている。
【００２４】
図１にも示すように、機械室８の後側には、エンジン（図示せず）が設けられており、このエンジンの前側には、機械室８を開閉可能に覆う開閉カバー１０が設けられている。そして、この開閉カバー１０を開いた前側にエンジンで消費する燃料を貯える燃料タンク１１が設けられている。開閉カバー１０を開いた後側には、下部走行体２、アタッチメント７等の油圧機器を駆動するための作動油を貯える作動油タンク１２が設けられている。この作動油タンク１２と燃料タンク１１との間には、作動油の流れを制御するメインコントロールバルブ１３が設けられている。このメインコントロールバルブ１３の開閉カバー１０側（右側）の機械室８の底部に燃料タンク１１に燃料を送り込む燃料ポンプ１４が設けられている。この燃料ポンプ１４は、例えば、油圧ショベル１が内蔵するバッテリーの電力で回転可能となっている。燃料ポンプ１４と燃料タンク１１との間は、両端が燃料ポンプ１４の吐出口１４ａと燃料タンク１１とにそれぞれ接続されたタンク側ホース１５が設けられている。
【００２５】
図４に拡大して示すように、開閉カバー１０は、平面視で機械室８の外側へ略鉛直な回動軸１０ａを中心に開くように機械室８の側面に設けられている。そして、開閉カバー１０には、燃料ポンプ１４の吸入口１４ｂに接続された燃料ホース１６を収容する燃料ホース収容部１７が開閉カバー１０の内面に設けられている。
【００２６】
開閉カバー１０の内面には、燃料ホース１６の先端に設けたフィルタ部１６ａを収容する先端収容部１８が設けられている。先端収容部１８は、例えば上方が開口した直方体状のもので、内部に溜まった燃料を排出可能な排出部としての排出管１９が設けられている。例えば、排出管１９にコック等を設けることで、下方にバケツ用の容器を載置してから燃料を排出できるようにするとよい。
【００２７】
以上のように、略鉛直な回動軸１０ａを中心に外方へ開く開閉カバー１０の裏面に燃料ホース収容部１７を設けているので、図１に示すように、開閉カバー１０を開いたときに、地面等に立ったまま燃料ホース１６を取り出して先端のフィルタ部１６ａを地面等にあるドラム缶等に差して燃料補給作業をすることができる。また、補給作業の終了後は、作業者は、地面に立ったまま先端のフィルタ部１６ａを適度な高さにある先端収容部１８に収容することができる。
【００２８】
また、仮に燃料ホース１６の先端から燃料がこぼれたとしても、図３に示すように、機械室８の外側で燃料ホース１６の脱着を行えるので、機械室８内が汚れない。
【００２９】
特に開閉カバー１０の内面下側に燃料ホース収容部１７を設けることにより、燃料ホース１６を高く持ち上げて脱着作業をする必要がなく、作業が容易で、燃料をさらにこぼれにくくすることができる。
【００３０】
本実施形態では、開閉カバー１０の内面下側に設けた先端収容部１８に地面等に立ったままの状態で燃料ホース１６の先端の出し入れがしやすく、また、先端収容部１８に燃料が溜まっても、排出管１９からバケツ等の内部に排出すればよいので、地面等を汚さずに排出することができる。
【００３１】
また、燃料ポンプ１４を燃料タンク１１、作動油タンク及びコントロールバルブに囲まれた機械室８の底部に設けたので、狭いスペースを利用して、燃料ポンプ１４と燃料ホース収容部１７とを設けることができる。
【００３２】
したがって、本実施形態に係る油圧ショベル１によると、地面等に立ったまま燃料供給作業が行えると共に、燃料が機械室８内にこぼれないので、燃料ホース１６を用いた燃料供給の作業性を極めて安全に効率よく行うことができる。
【００３３】
（その他の実施形態）
本発明は、上記実施形態について、以下のような構成としてもよい。
【００３４】
すなわち、上記実施形態では、建設機械は油圧ショベル１としたが、本発明は、油圧ショベル以外の建設機械に適用してもよく、特に比較的小型で地面等からメンテナンスを行える中小型の建設機械への適用が効果的である。
【００３５】
上記実施形態では、運転室６側方の機械室８の右側にある開閉カバー１０の内面に燃料ホース収容部１７を設けたが、この位置には限定されない。要は、燃料ポンプ１４につながる燃料タンク１１を収容可能なスペースのある開閉カバーの内面の、特に地面等から届く範囲に燃料ホース収容部１７を設ければよい。
【００３６】
上記実施形態では、油圧ショベル１は、下部走行体２としてクローラを有するが、ホイールでもよいし、甲板等に設けた旋回台に固定するものでもよい。要は、地面、甲板等に立ったまま燃料ホース１６の着脱が行える位置の略鉛直な回動軸を中心に外方へ開く開閉カバーの内面に燃料ホース収容部１７を設けるとよい。
【００３７】
なお、以上の実施形態は、本質的に好ましい例示であって、本発明、その適用物や用途の範囲を制限することを意図するものではない。
【符号の説明】
【００３８】
１      油圧ショベル（建設機械）
２      クローラ
３      旋回ベアリング
４      上部旋回体（建設機械本体）
５      旋回フレーム
６      運転室
７      アタッチメント
８      機械室
９      カウンターウェイト
１０      開閉カバー
１０ａ    回動軸
１１      燃料タンク
１２      作動油タンク
１３      メインコントロールバルブ
１４      燃料ポンプ
１４ａ    吐出口
１４ｂ    吸入口
１５      タンク側ホース
１６      燃料ホース
１６ａ    フィルタ部
１７      燃料ホース収容部
１８      先端収容部
１９      排出管
【図１】
2018193827.tif 000003
【図２】
2018193827.tif 000004
【図３】
2018193827.tif 000005
【図４】
2018193827.tif 000006